(57)【要約】【課題】画面が小さいと番組情報を効率良く表示させることができない場合があった。【解決手段】まず、ステップＳ１において処理を開始し（ｓｔａｒｔ）、ステップＳ２において、ＥＰＧ表示がされているか否かを判定する。表示されている場合には（Ｙｅｓ）、ステップＳ３、Ｓ４に進み、番組タイトル毎に、表示領域Ａ１と用表示タイトル名の占有領域Ａ２との大小関係を判定する。ステップＳ４においてＡ１＜Ａ２、すなわち要表示領域Ａ２が表示可能範囲Ａ１よりも小であれば（Ｙｅｓ）、ステップＳ５に進む。ステップＳ５では、Ａ１＜Ａ２のタイトルについて、番組タイトルのスクロール表示を行い、次いで、処理を終了する（ステップＳ６：ｅｎｄ）。【選択図】図３
2007336438.tif 000002
【特許請求の範囲】
【請求項１】
テレビ受信機能を有する携帯端末装置において、
チャネル番号と放送時間帯とのマトリックスにより構成される電子番組表を取得する電子番組表取得部と、
該電子番組表を表示する表示部と、
前記チャネル番号と前記放送時間帯とにより画定される番組の表示領域の長さと番組のタイトルの長さとを比較し、前記表示領域よりも前記番組のタイトルの長さが長い場合に、該当する表示領域における番組タイトルを自動的にスクロール表示させる制御部と
を備えた携帯端末装置。
【請求項２】
前記制御部は、前記表示領域の長さと前記番組のタイトルの長さとの比に基づいて、同じ時間で全タイトルが表示できる方向にスクロール速度を調整することを特徴とする請求項１に記載の携帯端末装置。
【請求項３】
選択された表示領域の番組タイトルのみをスクロール表示することを特徴とする請求項１又は２に記載のＴＶ付き携帯通信端末装置。
【請求項４】
現在表示部の表示領域範囲に入っている番組タイトルのみをスクロール表示することを特徴とする請求項１又は２に記載のＴＶ付き携帯通信端末装置。
【請求項５】
前記スクロール領域が前記電子番組表内に複数設けられることを特徴とする請求項１から４までのいずれか１項に記載の携帯端末装置。
【請求項６】
前記番組の表示領域の長さと番組のタイトルの長さとに基づいてスクロール速度を調整することを特徴とする請求項１から５までのいずれか１項に記載の携帯端末装置。
【請求項７】
チャネル番号と放送時間帯とのマトリックスにより構成される電子番組表を取得するステップと、
該電子番組表を表示するステップと、
前記チャネル番号と前記放送時間帯とにより画定される番組の表示領域の長さと番組のタイトルの長さとを比較するステップと、
前記表示領域よりも前記番組のタイトルの長さが長い場合に、該当する表示領域における番組タイトルを自動的にスクロール表示させるステップと
を有することを特徴とする電子番組表の表示方法。
【請求項８】
請求項７に記載のステップをコンピュータに実行させるためのプログラム。
【請求項９】
テレビ受信機能を有する電子機器において、
チャネル番号と放送時間帯とのマトリックスにより構成される電子番組表を取得する電子番組表取得部と、
該電子番組表を表示する表示部と、
前記チャネル番号と前記放送時間帯とにより画定される番組の表示領域の長さと番組のタイトルの長さとを比較し、前記表示領域よりも前記番組のタイトルの長さが長い場合に、該当する表示領域における番組タイトルを自動的にスクロール表示させる制御部と
を備えた電子機器。
【発明の詳細な説明】
【技術分野】
【０００１】
本発明は、テレビ受信機能を備えた携帯端末装置に関し、特に、ＴＶ番組情報の表示技術に関し、より詳細には、電子番組表（ＥＰＧ）における番組情報の表示技術に関する。
【背景技術】
【０００２】
デジタル放送の開始に伴って、番組数が非常に多くなってきており、電子番組表（ＥＰＧ）による番組選択が一般的になっている。ＥＰＧは、大画面の液晶ＴＶなどにおいては、一度に多くの番組を見ることができるため、非常に便利である。ところで、携帯端末などにＴＶ機能が付加されている場合など表示画面が小さい場合には、多くの番組を表示することが難しいことが多い。図７は、そのような状況を示すＥＰＧ表示画面の図である。図７に示すように、電子番組表１００は、テレビ局名（ＣＨ番号）と、放送時間１０５と、の２次元マトリックスを形成している。ここで、マトリックス中の各領域１０７には、番組情報の一例として番組タイトル名が表示されている。しかしながら、領域１１１のように、放送時間が短い場合には、番組タイトル名が表示範囲に収まりきらないという問題がある。
【０００３】
そこで、ユーザによるカーソル移動などでフォーカスのあたった番組に関して、表示範囲にタイトル名が入りきらない場合に、別の表示欄を設けてタイトル名を表示或いはスクロールさせる技術が提案されている（特許文献１参照）。また、表示領域の大きさに応じてフォントサイズを変える技術もある。
【０００４】
【特許文献１】特開２００４−１９４２４９号公報
【発明の開示】
【発明が解決しようとする課題】
【０００５】
上記特許文献１に記載の技術では、番組表とは別にタイトル名を表示（スクロール）する表示領域を設けている。従って、番組表に利用可能な表示領域がその分だけ削られてしまうという問題があった。表示枠に入らない番組が複数ある場合には、どの番組のタイトル名をスクロールしているかの判別さえ付かなくなってしまう。
【０００６】
本発明は、番組情報を効率良く表示させる新しい技術を提供することを目的とする。
【課題を解決するための手段】
【０００７】
１）タイトル（付随情報を含む）名が表示範囲に入るか否かを判断（検出）する。この際、番組にフォーカスをあてない状態で良い。
２）タイトルが表示範囲に入らないと判断した場合は、タイトル（付随情報含め）をスクロールする。
３）画面に表示している番組表（ＥＰＧ）の全番組について、上記１）〜２）を行う。
【発明の効果】
【０００８】
本発明によれば、画面に表示する番組表（ＥＰＧ）の全表示範囲をさせたまま（表示範囲を犠牲にすることなく）、番組のタイトル名がその表示範囲に入らない番組のみをスクロールさせるので、ユーザが表示範囲に入らない番組に、その都度フォーカスをあてることなく、効率よく番組のタイトル名および付随情報を入手することができる。
【発明を実施するための最良の形態】
【０００９】
以下に、本発明の第１の実施の形態による番組情報表示技術についてＴＶ機能付き携帯通信端末装置を例にして図面を参照しながら説明を行う。図１は、本実施の形態による電子番組表を表示するＴＶ機能付き情報携帯端末装置の一構成例を示す機能ブロック図である。図２は、ＥＰＧ表示処理の流れを示すフローチャート図である。図３は、スクロールの様子を示す図である。図４は、表示画面の様子を示す図である。尚、この説明においては、番組情報として番組のタイトル名を表示する場合を例にして説明を行う。
【００１０】
図１に示すように、本実施の形態によるＴＶ機能付き情報携帯端末装置１は、データ送受信用の送受信アンテナ１１と、テレビ放送を受信するためのテレビアンテナ２０と、を有している。さらに、通信関連の構成としては、携帯電話無線部１２と、制御部１３と、レシーバ１４と、マイク１５と、入力キー１６と、記憶部１７と、スピーカ１８と、表示部１９と、を有する。テレビ関連の構成としては、テレビチューナ部２１と、ＥＰＧ取得部２１ａと、が設けられ、その他、表示部１９や制御部１３などは、通信関連と共用するように構成される。ＥＰＧは、例えば、携帯電話無線部１２を介してインターネット経由でサーバから取得するのが一般的である。
【００１１】
図２は、記憶部１７に記憶され、制御部１３においてコンピュータに実行されるＥＰＧ表示処理の流れを示す図であり、まず、ステップＳ１において処理を開始し（ｓｔａｒｔ）、ステップＳ２において、ＥＰＧ表示がされているか否かを判定する。表示されている場合には（Ｙｅｓ）、ステップＳ３、Ｓ４に進み、番組タイトル毎に、表示領域Ａ１と用表示タイトル名の占有領域Ａ２との大小関係を判定する。ステップＳ４においてＡ１＜Ａ２、すなわち要表示領域Ａ２が表示可能範囲Ａ１よりも小であれば（Ｙｅｓ）、ステップＳ５に進む。ステップＳ５では、Ａ１＜Ａ２のタイトルについて、番組タイトルのスクロール表示を行い、処理を終了する（ステップＳ６：ｅｎｄ）。スクロール表示は、ＥＰＧ表示中は常時行っても良いし、一度又は数回スクロールを行うとスクロール処理を終了するようにしても良い。図３に示すように、スクロール処理は、「番組」Ｘ１、「組タ」Ｘ２、「タイ」Ｘ３のように、順次、テロップが流れるように表示される。このようにすることで、図４に示すように、矢印の付された番組タイトル表示領域は矢印の方向にスクロール表示される。これにより、ユーザは、番組タイトルの全容を認識することができる。
【００１２】
次に、本発明の第１の実施の形態の第１変形例による番組タイトル表示技術について説明を行う。本第１変形例による番組タイトル表示技術は、選択された（フォーカスがあたった又はタッチパネルでユーザが選択した領域についてのみ、Ａ１＜Ａ２のタイトルについて、スクロール処理を行うことを特徴とする。
【００１３】
このようにすることにより、狭い領域の全てについてスクロール処理を行う必要がないため、制御部の処理負担を軽減することができるという利点がある。
【００１４】
次に、本発明の第１の実施の形態の第２変形例による番組タイトル表示技術について説明を行う。本第２変形例による番組タイトル表示技術は、選択された表示画面内に現在表示されている領域に関してのみ、Ａ１＜Ａ２のタイトルについて、スクロール処理を行うことを特徴とする。
【００１５】
このようにすることにより、例えば携帯電話機などの狭い表示部において、現在表示されている領域内のみスクロール処理を行うため、表示されていない番組まで表示することがなく、制御部の処理負担を軽減することができるという利点がある。
【００１６】
次に、本発明の第２の実施の形態による番組タイトル表示技術について図面を参照しながら説明する。図５は、本実施の形態による番組タイトル表示技術の概要を示す図である。図６は、図２に対応するフローチャート図である。本実施の形態では、Ａ１＜Ａ２のタイトルについて、例えばＡ２／Ａ１の速度でスクロール処理を行う。すなわち、狭い領域ほど、スクロール速度を速めて（矢印が太い程スクロール速度が速いことを意味する）、素早く番組タイトル名を把握できるようにすることで、どの番組も同じ程度の時間で番組タイトルを見ることができる。尚、スクロール速度に関しては、単純にＡ２／Ａ１でなくても良く、狭い領域ほど早くスクロールさせる点が重要である。
【００１７】
尚、上記各実施の形態においては、番組情報として番組タイトルを例にして説明したが、番組に付随する付随情報について本発明を適用しても良い。この場合に、まず番組タイトルをスクロール表示させ、次いで、付随情報がある場合には付随情報もスクロール表示させても良いし、予め、付随情報に関してはスクロールするかどうかを設定しておくボタンを設けても良い。
【００１８】
以上に説明したように、本発明の実施の形態によれば、画面に表示する番組表（ＥＰＧ）の全表示範囲をさせたまま、表示範囲を犠牲にすることなく番組のタイトル名がその表示範囲に入らない番組のみをスクロールさせるように制御を行うため、効率よく番組のタイトル名および付随情報を入手することができるという利点がある。また、自動スクロールを行う場合には、ユーザが表示範囲に入らない番組にその都度フォーカスをあてることないため、操作の煩雑さがなく便利である。
【産業上の利用可能性】
【００１９】
本発明は、番組タイトル表示技術に利用することができる。１セグ携帯電話機や記録再生装置にも適用できる。
【図面の簡単な説明】
【００２０】
【図１】本発明の第１の実施の形態による電子番組表を表示するＴＶ機能付き情報携帯端末装置の一構成例を示す機能ブロック図である。
【図２】ＥＰＧ表示処理の流れを示すフローチャート図である。
【図３】スクロールの様子を示す図である。
【図４】表示画面の様子を示す図である。
【図５】本発明の第２の実施の形態による番組タイトル表示技術の概要を示す図である。
【図６】図２に対応するフローチャート図である。
【図７】ＥＰＧ表示画面例を示す図であり、放送時間が短い場合に、番組タイトル名が表示範囲に収まりきらない様子を示す図である。
【符号の説明】
【００２１】
１…ＴＶ機能付き情報携帯端末装置、１１…データ送受信用の送受信アンテナ、１２…携帯電話無線部、１３…制御部、１４…レシーバ、１５…マイク、１６…入力キー、１７…記憶部、１８…スピーカ、１９…表示部、２０…テレビアンテナ、２１…テレビチューナ部、２１ａ…ＥＰＧ取得部。
【図１】
2007336438.tif 000003
【図２】
2007336438.tif 000004
【図３】
2007336438.tif 000005
【図４】
2007336438.tif 000006
【図５】
2007336438.tif 000007
【図６】
2007336438.tif 000008
【図７】
2007336438.tif 000009